(57)【要約】【課題】  録画保存したディジタルテレビ放送番組を再生する場合でも、その番組の付随情報にあるＵＲＬアドレスにリンクしたＷｅｂ情報の閲覧確度を向上させる。【解決手段】  受信中の番組のトランスポートストリームデータの付随情報にＵＲＬが含まれているか否かをチェックし（Ｓ４０２）、含まれている場合にはそのＵＲＬ情報を抽出して（Ｓ４０３）、その抽出されたＵＲＬ情報をＨＤＤに記録する（Ｓ４０４）。抽出されたＵＲＬに基づいて、インターネット上のＷｅｂサーバよりそのＵＲＬにリンクするＷｅｂページの情報を入手し（Ｓ４０５）、入手したＷｅｂ情報を関連付けてＨＤＤに記録しておく。【選択図】      図４
2006339851.tif 000002
【特許請求の範囲】
【請求項１】
各番組の映像情報、音声情報および付随情報を含むトランスポートストリームを受信して記録および再生する情報処理装置において、
前記トランスポートストリームからＵＲＬ（Uniform Resource Locator）情報を抽出するＵＲＬ情報抽出手段と、
その抽出したＵＲＬ情報を記録するＵＲＬ情報記録手段と、
前記ＵＲＬ情報抽出手段によって抽出されたＵＲＬへアクセスするインターネットアクセス手段と、
このインターネットアクセス手段でアクセスしたＵＲＬに対応するＷｅｂ情報を記録するアクセス情報記録手段と、
を備えたことを特徴とする情報処理装置。
【請求項２】
請求項１記載の情報処理装置において、前記ＵＲＬ情報記録手段により記録されたＵＲＬに対するアクセス指示に基づいて、前記アクセス情報記録手段で記録された前記Ｗｅｂ情報を抽出して表示させる手段と、を備えたことを特徴とする情報処理装置。
【請求項３】
請求項１記載の情報処理装置において、前記ＵＲＬ情報記録手段によって記録されたＵＲＬ情報の一覧を表示する表示手段を備えたことを特徴とする情報処理装置。
【請求項４】
前記ＵＲＬ情報抽出手段は、前記付随情報からＵＲＬ情報を抽出することを特徴とする請求項１記載の情報処理装置。
【請求項５】
各番組の映像情報、音声情報および付随情報を含むトランスポートストリームを受信して記録および再生する機能と、
前記トランスポートストリームからＵＲＬ（Uniform Resource Locator）情報を抽出するＵＲＬ情報抽出機能と、
その抽出したＵＲＬ情報を記録するＵＲＬ情報記録機能と、
前記ＵＲＬ情報抽出機能によって抽出されたＵＲＬへアクセスするインターネットアクセス機能と、
このインターネットアクセス機能でアクセスしたＵＲＬに対応するＷｅｂ情報を記録するアクセス情報記録機能と、
をコンピュータに実行させる情報処理プログラム。
【請求項６】
請求項５記載の情報処理プログラムにおいて、前記ＵＲＬ情報記録機能により記録されたＵＲＬに対するアクセス指示に基づいて、前記アクセス情報記録機能で記録された前記Ｗｅｂ情報を抽出して表示させる機能をさらに備えたことを特徴とする情報処理プログラム。
【請求項７】
請求項５記載の情報処理プログラムにおいて、前記ＵＲＬ情報記録機能によって記録されたＵＲＬ情報の一覧を表示する機能をさらに備えたことを特徴とする情報処理プログラム。
【発明の詳細な説明】
【技術分野】
【０００１】
本発明は、ディジタルテレビ放送を受信し、記録再生可能な情報処理装置及びそのプログラムに関する。
【背景技術】
【０００２】
ディジタルテレビ放送では、多数の番組が重畳して送信されると共に、各番組の映像情報、音声情報、付随情報がそれぞれパケット化されて伝送される。
またディジタルテレビ放送では、ＭＰＥＧ−２の画像圧縮技術の利用により、１００チャンネル以上の番組を同時に放送できるメリットがある。この場合、多チャンネル化によって、新聞や雑誌のような印刷媒体による番組表から探し出してチャンネル選択や録画予約をすることは、視聴者にとって煩雑なものとなる。そこで、その対策として視聴者がモニタ画面上で番組検索や選択をできるように、番組情報などの、番組表を作るために必要なデータもＭＰＥＧ−２のトランスポートストリームに多重されて放送される。この番組表のことをＥＰＧ（Electronic Program Guide）という。
【０００３】
ＭＰＥＧ−２のトランスポートストリームには付随情報としてＥＰＧ情報のほかにテレテキスト情報やサブタイトル情報が含まれることがある。これらはＭＰＥＧ−２のトランスポートストリームにより、ＰＳＩ（Program Specific Information）又はＳＩ（Service Information）の一部として伝送されるか、あるいは別の付随情報として独立したパケットで伝送される。テレテキスト情報やサブタイトル情報は、文字情報を表示するために使用される。前記したＥＰＧ情報、テレテキスト情報、サブタイトル情報にはＵＲＬ（Uniform Resource Locator）情報が含まれることがあり、この場合そのＵＲＬ情報が映像情報と共に表示画面に表示される。
【０００４】
ところで、トランスポートストリームにより伝送されたＵＲＬ情報が表示画面に表示された場合に、ユーザはその情報を視覚的に捉えることは出来る。
しかし、表示画面に表示されたＵＲＬへアクセスするためには、ユーザはその表示されたＵＲＬをメモ用紙などへ一旦記録するか、ビデオ情報として一旦録画し、その後前記メモ又は録画したＵＲＬ情報をインターネットアクセス手段で手動入力し、アクセスしなければならない。このため、メモ又は再生画像からＵＲＬ情報を読み取るときに読み誤ったり、或いは、手動入力をするときに入力ミスをしたりするなどの問題があった。そして、モニタに表示されたＵＲＬへアクセスすることは、ユーザにとってかなりの時間を要する面倒な作業となっていて、トランスポートストリームにより伝送されたＵＲＬ情報は有効に活用される割合が少なくなっていた。
【０００５】
そこで、この問題を解決するために、トランスポートストリームからＵＲＬ（Uniform Resource Locator）情報を抽出し、抽出したＵＲＬ情報を基にＵＲＬアドレスリストを生成し、そのリストからユーザがアドレスを選択することで所望のデータにアクセスできるようにした方法が提案されている。（例えば、特許文献１参照）。
【特許文献１】特開平１１−４４１６号公報
【発明の開示】
【発明が解決しようとする課題】
【０００６】
特許文献１記載の方法では、ＵＲＬアドレスを入力するという操作の簡略化を図ることができる。しかしながら、番組を録画保存した場合には、そのリスト化されたアドレスが更新されることは無い。そのため、後に録画番組を再生視聴した際にその番組の付随情報に含まれたＵＲＬアドレスにリンクするＷｅｂサイトのデータを閲覧する場合、既にリンク切れ等によりデータを得られないことがある。
【０００７】
そこで本発明では、録画保存したディジタルテレビ放送番組を再生する場合であっても、その番組の付随情報にあるＵＲＬアドレスにリンクしたデータの閲覧確度を向上させる情報処理装置を提供することを目的とする。
【課題を解決するための手段】
【０００８】
上記目的を達成するために、本発明の情報処理装置は、各番組の映像情報、音声情報および付随情報を含むトランスポートストリームを受信して記録および再生する情報処理装置において、前記トランスポートストリームからＵＲＬ（Uniform Resource Locator）情報を抽出するＵＲＬ情報抽出手段と、その抽出したＵＲＬ情報を記録するＵＲＬ情報記録手段と、前記ＵＲＬ情報抽出手段によって抽出されたＵＲＬへアクセスするインターネットアクセス手段と、このインターネットアクセス手段でアクセスしたＵＲＬに対応するＷｅｂ情報を記録するアクセス情報記録手段とを備える。
【０００９】
また、本発明の情報処理プログラムは、各番組の映像情報、音声情報および付随情報を含むトランスポートストリームを受信して記録および再生する機能と、前記トランスポートストリームからＵＲＬ（Uniform Resource Locator）情報を抽出するＵＲＬ情報抽出機能と、その抽出したＵＲＬ情報を記録するＵＲＬ情報記録機能と、前記ＵＲＬ情報抽出機能によって抽出されたＵＲＬへアクセスするインターネットアクセス機能と、このインターネットアクセス機能でアクセスしたＵＲＬに対応するＷｅｂ情報を記録するアクセス情報記録機能とを備える。
【発明の効果】
【００１０】
本発明によれば、録画保存したディジタルテレビ放送番組を再生する場合、その番組の付随情報にあるＵＲＬアドレスにリンクしたデータの閲覧確度を向上させる情報処理装置を提供することができる。
【発明を実施するための最良の形態】
【００１１】
以下、本発明の情報処理装置について、図面を参照しながら説明する。
【実施例１】
【００１２】
図１は、本発明の情報処理装置の第１の実施例であるノートＰＣ（Ｐｅｒｓｏｎａｌ  Ｃｏｍｐｕｔｅｒ）１０のシステム構成を示す図である。ノートＰＣ１０は、全体の動作の制御を行う制御部２０１と、デジタル放送を受信するチューナ部２０２と、主メモリ２０３と、チューナ部２０２からの受信したトランスポートストリームデータを記録するＨＤＤ（Ｈａｒｄ  Ｄｉｓｋ  Ｄｒｉｖｅ）２０４と、グラフィックコントローラ２０５と、ＬＣＤ（Ｌｉｑｕｉｄ  Ｃｒｉｓｔａｌ  Ｄｉｓｐｌａｙ）２０６と、キーボード、マウス、リモコン等からなる入力装置２０７と、インターネット２０８へのアクセスインターフェースであるネットワーク通信部２０９とから構成される。
【００１３】
制御部２０１は、ＣＰＵ（Ｃｅｎｔｒａｌ  Ｐｒｏｃｅｓｓｉｎｇ  Ｕｎｉｔ）から構成され、ノートＰＣ１０全体の動作を制御する。制御部２０１はＨＤＤ２０４から主メモリ２０３にロードされるオペレーティングシステム（ＯＳ）および映像制御プログラム２１０（情報処理プログラム）を実行し、ユーザにチューナ部２０２から受信した映像を記録させたり、再生視聴させたりすることができる。
【００１４】
チューナ部２０２は、受信するディジタルテレビ放送の伝送信号の周波数を選択し、その中間周波信号をＯＦＤＭ復調、アナログ／ディジタル変換（ＡＤＣ）及びＦＥＣ（Forward Error Correction）エラー訂正等を行い、トランスポートストリームと呼ばれる形式のデータ列を生成する。トランスポートストリームには、ＭＰＥＧ−２のＶｉｄｅｏトランスポートパケット、Ａｕｄｉｏトランスポートパケット及び付随情報パケットが含まれており、受信対象である番組のパケットが出力される。付随情報としてはＥＰＧ情報のほかにテレテキスト情報やサブタイトル情報が含まれ、これら情報にはさらにＵＲＬ情報が含まれることがある。
【００１５】
ＨＤＤ２０４は、チューナ部２０２から出力された対象番組の受信データを、映像制御プログラム２１０の制御の下で記録する。
通信部２０９は、入力装置２０７を介してユーザより入力される、付随情報に含まれるＵＲＬへのアクセス指示に基づいてインターネット２０８と接続するインターフェースである。
【００１６】
映像制御プログラム２１０は、圧縮符号化されたＭＰＥＧ−２の動画像データを記録したり、記録したデータをデコードおよび再生するためのソフトウエアであり制御部（ＣＰＵ）２０１により実行される。図２に示すように、映像データをＨＤＤ２０４へ記録するための記録部３０１（記録機能）と、ＨＤＤ２０４に記録された映像データを再生するための再生部３０２（再生機能）と、記録部３０１で録画している番組データの付随情報からＵＲＬ情報を抽出するＵＲＬ情報抽出部３０３と、ＵＲＬ情報抽出部３０３で抽出されたＵＲＬ情報をＨＤＤ２０４に記録させるＵＲＬ情報格納部３０４と、ＵＲＬ情報抽出部３０３で抽出されたＵＲＬに基づいてインターネットにアクセスし、当該ＵＲＬに対応するＷｅｂ情報（Ｗｅｂサーバで公開されているページ）を入手するＷｅｂアクセス制御部３０５と、Ｗｅｂアクセス制御部３０５で入手したＷｅｂ情報をＨＤＤ２０４に記録させるリンク情報格納部３０６と、ＵＲＬ情報格納部３０４で記録されたＨＤＤ２０４内のＵＲＬ情報の一覧を表示するＵＲＬ表示部３０７と、ＨＤＤ２０４内に記録されたＵＲＬを指定する指示に基づいて、そのＵＲＬに対応するＷｅｂ情報をＨＤＤ２０４から検索して表示させるＷｅｂ情報表示部３０８とから構成されており、各部が映像制御プログラム２１０の各機能としてＣＰＵで実行され動作する。
【００１７】
図３は、Ｗｅｂ情報表示部３０８により、ＵＲＬ情報格納部３０４でＨＤＤ２０４に記録されたＵＲＬ情報の一覧をＬＣＤ２０６に表示した場合の画面例である。このアドレスリストでは、録画番組の付随情報に含まれるＵＲＬとタイトルが一覧表示される。
【００１８】
記録部３０１は、チューナ部２０２からのトランスポートストリーム受信データをＨＤＤ２０４に記録させる。再生部３０２は、ＨＤＤ２０４に記録された録画データを読み出してＬＣＤ２０６に再生表示させるものである。ＵＲＬ情報抽出部３０３は、録画している番組のトランスポートストリームデータの付随情報からＵＲＬを抽出する。ＵＲＬ情報格納部３０４は、ＵＲＬ情報抽出部３０３で抽出されたＵＲＬをＨＤＤ２０４に記録させる。Ｗｅｂアクセス制御部３０５は、ＵＲＬ情報抽出部３０３で抽出されたＵＲＬに基づいて、通信部２０９を介してインターネット２０８上のＷｅｂサーバよりそのＵＲＬにリンクするＷｅｂページの情報（Ｗｅｂ情報）を入手する。リンク情報格納部３０６は、Ｗｅｂアクセス制御部３０５が入手したＷｅｂ情報をそのリンクに関連付けてＨＤＤ２０４に保存記録させる。ＵＲＬ表示部３０７は、ＨＤＤ２０４に記録されたＵＲＬ情報の一覧を表示する。Ｗｅｂ情報表示部３０８は、ＵＲＬ表示部で一覧表示された中から特定のリンクが指定された場合に、そのリンクに対応するＷｅｂ情報をＨＤＤ２０４より検索してＬＣＤ２０６に表示する。
【００１９】
次に、本発明の第１の実施例であるノートＰＣ１０について、特定の番組を録画するときの動作について図４のフローチャートを用いて説明する。
まず、特定の番組が指定されて録画を開始すると、受信中の番組がＬＣＤ２０６に表示される（Ｓ４０１）。そして、受信中の番組のトランスポートストリームデータの付随情報にＵＲＬが含まれているか否かがチェックされ（Ｓ４０２）、含まれている場合にはそのＵＲＬ情報が抽出される（Ｓ４０３）。さらに、Ｓ４０３で抽出されたＵＲＬ情報はＨＤＤ２０４に記録される（Ｓ４０４）。Ｓ４０３で抽出されたＵＲＬに基づいて、通信部２０９を介してインターネット２０８上のＷｅｂサーバよりそのＵＲＬにリンクするＷｅｂページの情報（Ｗｅｂ情報）を入手する（Ｓ４０５）。入手したＷｅｂ情報はＨＤＤ２０４にＵＲＬに関連付けて記録される。
【００２０】
次に、録画番組を再生するときの動作について図５のフローチャートを用いて説明する。
録画番組を指定して再生しているとき（Ｓ５０１）、ブラウザの起動要求があるか否かがチェックされ（Ｓ５０２）、ブラウザの起動要求がある場合にはＨＤＤ２０４より、その録画番組の付随情報より抽出されたＵＲＬの一覧が図３に示すようにＬＣＤ２０６に表示される（Ｓ５０３）。一覧から特定のＵＲＬが選択されＯＫボタンが押されると、そのリンクに対応するＷｅｂ情報がＨＤＤ２０４から検索され、その内容がＬＣＤ２０６に表示される（Ｓ５０４）。ブラウザが終了されると（Ｓ５０５）、録画番組の再生が継続する（Ｓ５０６）。
【００２１】
尚、ブラウザによるＷｅｂ情報の表示と、録画番組の表示は切替えて表示させても、或いは画面を分割して両方表示させても良い。
以上、本実施例によれば、所望のＴＶ番組を録画する際、その番組の付随情報に含まれるＵＲＬ情報が記録されると共に、そのＵＲＬにリンクするＷｅｂ情報がインターネットを介して自動的に入手記録されるため、録画番組を後日視聴再生した場合に、その番組に付随したＵＲＬにリンクしたＷｅｂ情報がインターネット上で更新、削除（リンク切れ）されていたとしても、そのＷｅｂ情報をＨＤＤ２０４にローカル保存されているため閲覧することができる。また、そのＷｅｂ情報は番組を録画した時点の情報であるため、録画番組内容との整合もとれたもので、視聴者にとっても有用な情報となる。
【図面の簡単な説明】
【００２２】
【図１】本発明の第１の実施例に係る情報処理装置のシステム構成を示す図。
【図２】本発明の第１の実施例に係る映像制御プログラムの機能ブロック図。
【図３】本発明の第１の実施例に係るＵＲＬアドレスリストを示す図。
【図４】本発明の第１の実施例に係る映像制御プログラムの動作フローチャート図である。
【図５】本発明の第１の実施例に係る映像制御プログラムの動作フローチャート図である。
【符号の説明】
【００２３】
１０・・・ノートＰＣ
２０１・・・制御部
２０２・・・チューナ部
２０４・・・ＨＤＤ
２０６・・・ＬＣＤ
２０８・・・インターネット
２０９・・・通信部
２１０・・・映像制御プログラム
３０１・・・記録部
３０２・・・再生部
３０３・・・ＵＲＬ情報抽出部
３０４・・・ＵＲＬ情報格納部
３０５・・・Ｗｅｂアクセス制御部
３０６・・・リンク情報格納部
３０７・・・ＵＲＬ表示部
３０８・・・Ｗｅｂ情報表示部
【図１】
2006339851.tif 000003
【図２】
2006339851.tif 000004
【図３】
2006339851.tif 000005
【図４】
2006339851.tif 000006
【図５】
2006339851.tif 000007